(57)【要約】【課題】  紙媒体による商品の選択において、操作がより容易である技術を提供する。【解決手段】  紙媒体上の選択箇所の座標を検出する検出する検出手段と、前記検出手段に基づいて、前記紙媒体上のどのオブジェクトが選択されたかを判別する判別手段と、前記選択されたオブジェクトに関する情報を出力する出力手段とを有する電子機器。また、紙媒体上の選択箇所の座標を検出する検出する検出工程と、前記検出手段に基づいて、前記紙媒体上のどのオブジェクトが選択されたかを判別する判別工程と、前記選択されたオブジェクトに関する情報を出力する出力工程とを含むオブジェクトを選択する方法。【選択図】  図１
2016038818.tif 000002
【特許請求の範囲】
【請求項１】
紙媒体上の選択箇所の座標を検出する検出手段と、
前記検出手段に基づいて、前記紙媒体上のどのオブジェクトが選択されたかを判別する判別手段と、
前記選択されたオブジェクトに関する情報を出力する出力手段とを有する電子機器。
【請求項２】
前記検出手段は、
加速度センサを具備し、
第１の位置から第２の位置に移動すると、前記加速度センサの検出結果に基づいて第１の位置に対する第２の位置の相対的位置を検出することで、前記紙媒体上の選択箇所の座標を検出する請求項１記載の電子機器。
【請求項３】
前記検出手段はユーザーによる前記紙媒体上におけるタップ操作により前記座標を検出する請求項１に記載の電子機器。
【請求項４】
前記判別手段は前記紙媒体上の仮想的に分割された領域のうち、検出手段によって検出された選択箇所の領域を判別することで、前記紙媒体上のどのオブジェクトが選択されたかを判別する請求項１に記載の電子機器。
【請求項５】
紙媒体上の選択箇所の座標を検出する検出する検出工程と、
前記検出手段に基づいて、前記紙媒体上のどのオブジェクトが選択されたかを判別する判別工程と、
前記選択されたオブジェクトに関する情報を出力する出力工程とを
含むオブジェクトを選択する方法。
【発明の詳細な説明】
【技術分野】
【０００１】
本発明の実施形態は、電子機器、オブジェクトを選択する方法に関する。
【背景技術】
【０００２】
技術的な背景として、紙媒体による商品の選択方法がある。これまで例えば、高齢者はＰＣの操作には慣れないし、慣れているＴＶであってもリモコン操作の入力は難しい場合があるという課題があった。
【先行技術文献】
【特許文献】
【０００３】
【特許文献１】特開２００８−２１７７２６号公報
【発明の概要】
【発明が解決しようとする課題】
【０００４】
本発明の実施の形態は、紙媒体による商品の選択において、操作がより容易である技術を提供することを目的とする。
【課題を解決するための手段】
【０００５】
上記課題を解決するために、実施形態によれば電子機器は、紙媒体上の選択箇所の座標を検出する検出する検出手段と、前記検出手段に基づいて、前記紙媒体上のどのオブジェクトが選択されたかを判別する判別手段と、前記選択されたオブジェクトに関する情報を出力する出力手段とを有する。
【図面の簡単な説明】
【０００６】
【図１】本発明の実施形態における情報再生機器によるコンテンツ視聴システムを示した図。
【図２】実施形態における情報再生機器のハードウェア構成を示す図。
【図３】実施形態にかかるペン型の入力デバイスのハードウェア構成図。
【図４】実施形態にかかる映像受信システムについて説明する為の図。
【図５】実施形態に用いられる印刷物とこれに対応するＳＴＢ内反映を示す説明図。
【図６】実施形態の要部のフローチャート。
【発明を実施するための形態】
【０００７】
以下、実施の形態について図１〜図６を用いて説明する。
【０００８】
図１は、実施の形態における情報再生機器１によるコンテンツ視聴システムを示した図である。本実施の形態におけるコンテンツ視聴システムは、情報再生機器１と、ペン型の入力デバイス２と、第１のＳＤ（Ｓｅｃｕｒｅ Ｄｉｇｉｔａｌ）カード３と、表示装置４と、リモコン５とを主たる構成としている。まず、本実施の形態におけるコンテンツ視聴システムの主な構成要素について説明する。
【０００９】
情報再生機器１は、Ｂｌｕｅｔｏｏｔｈ（登録商標、以下省略）モジュール７と、第１のＳＤカードスロット８と、赤外線受信部９とを備えている。Ｂｌｕｅｔｏｏｔｈモジュール７は本実施形態にかかる通信部に該当する。Ｂｌｕｅｔｏｏｔｈモジュール７は、Ｂｌｕｅｔｏｏｔｈ通信機能を有するペン型の入力デバイス２とＢｌｕｅｔｏｏｔｈ規格に準じた通信（以下「Ｂｌｕｅｔｏｏｔｈ通信」という）を行う。第１のＳＤカードスロット８は、第１のＳＤカード３が着脱可能であり、第１のＳＤカード３に記憶されたコンテンツ等を読み出す。また情報再生機器１は、リモコン５やペン型の入力デバイス２からの再生指示を受け付け、後述する手順に従い表示装置４に出力する。赤外線受信部９はリモコン５からの再生指示や、諸設定の指示を受信する。
【００１０】
ペン型の入力デバイス２は、Ｂｌｕｅｔｏｏｔｈ通信機能を有し、情報再生機器１のＢｌｕｅｔｏｏｔｈモジュール７とＢｌｕｅｔｏｏｔｈ通信を行う。
【００１１】
第１のＳＤカード３は、動画配信サービスやネットワーク上からダウンロードした映画等のコンテンツを記憶している。第１のＳＤカード３は第１のＳＤカードスロット８に着脱可能であり、情報再生機器１によりコンテンツのデータが読み込まれ再生される。
【００１２】
表示装置４は、ＬＣＤ（Ｌｉｑｕｉｄ Ｃｒｙｓｔａｌ Ｄｉｓｐｌａｙ）等から構成され、第１のＳＤカード３に記憶されたコンテンツのリスト表示や再生指示されたコンテンツの表示を行う。表示装置４がリモコンを備える場合、そのリモコンからも情報再生機器１へ再生指示等を行うことができるとしても良い。この場合、表示装置４のリモコンから発せられる制御信号は、例えばＨＤＭＩ（登録商標、以下省略）（Ｈｉｇｈ Ｄｅｆｉｎｉｔｉｏｎ Ｍｕｌｔｉｍｅｄｉａ Ｉｎｔｅｒｆａｃｅ）コネクタ１６等の出力部を介して情報再生機器１に伝送される。
【００１３】
リモコン５は、ユーザーの操作に応じた制御信号を赤外線通信により赤外線受信部９へ送信する。例えば、表示装置４に表示されたコンテンツリストから再生を行うコンテンツの選択を行う場合や、コンテンツ再生の指示等である。また、同じく表示装置４に表示されたディジタル広告の並びから希望の商品の選択を行う場合や、この選択の結果の送信の指示等である。なおリモコン５と赤外線受信部９は２．４ＧＨｚ帯ＲＦ（Radio Frequency）などを用いた専用の、所謂電波リモコンのシステムとして構成してもよい。
【００１４】
次に図２を用いて情報再生機器１（ＳＴＢ：Set Top Box）の構成を説明する。図２は、実施の形態における情報再生機器１のハードウェアを示す図である。
【００１５】
情報再生機器１は、Ｂｌｕｅｔｏｏｔｈモジュール７と、赤外線受信部９と、ＲＡＭ（Ｒａｎｄｏｍ Ａｃｃｅｓｓ Ｍｅｍｏｒｙ）１１と、ＲＯＭ（Ｒｅａｄ Ｏｎｌｙ Ｍｅｍｏｒｙ）１２と、ＣＰＵ（Ｃｅｎｔｒａｌ Ｐｒｏｃｅｓｓｉｎｇ Ｕｎｉｔ）１３と、ＬＡＮ（Ｌｏｃａｌ Ａｒｅａ Ｎｅｔｗｏｒｋ）コネクタ１４と、３Ｇ回線通信部１５と、ＨＤＭＩコネクタ１６と、電源入力コネクタ１７と、電源コントローラ１８と、第１のＳＤカードコントローラ１９と、映像信号出力端子２０と、第１のＳＤカードコネクタ２１とを主たる構成としている。各要素はバスＢと接続している。
【００１６】
Ｂｌｕｅｔｏｏｔｈモジュール７はＢｌｕｅｔｏｏｔｈ通信機能を有する外部機器と、Ｂｌｕｅｔｏｏｔｈ通信を行う。
【００１７】
赤外線受信部９はリモコン５からコマンドを赤外線通信等により受信し、指示内容を情報再生機器１内に伝送する。
【００１８】
ＲＡＭ１１は、各種プログラムを展開する記憶装置である。
【００１９】
ＲＯＭ１２は、各種プログラムを格納する記憶装置であり、再生アプリケーション等を格納している。通信可能なペン型の入力デバイス２の端末情報などを情報再生機器１に記憶する場合は、それらの記憶を行う。
【００２０】
ＣＰＵ１３は、各機能を実現する制御プログラムの命令を実行し、情報再生機器１全体の動作を制御する中央処理装置である。
【００２１】
ＬＡＮコネクタ１４は、ネットワークに接続する場合のＬＡＮケーブル等を着脱可能な端子である。
【００２２】
３Ｇ回線通信部１５は、３Ｇ回線と通信を行う部分である。
【００２３】
ＨＤＭＩコネクタ１６は、再生するディジタル映像信号を表示装置４に伝送するためのインターフェース端子である。ＨＤＭＩコネクタ１６は映像信号に加え各種制御信号を送受信することが可能であり、表示装置４が受信した制御信号に基づき情報再生機器１の操作が可能としても良い。また、表示装置４にコンテンツをリスト表示させる場合には、読み込んだコンテンツ情報等を表示装置４へ出力する。
【００２４】
電源入力コネクタ１７は、外部電源装置から情報再生機器１の起動電力を入力する端子である。
【００２５】
電源コントローラ１８は、電源入力コネクタ１７から入力された電力を制御する。
【００２６】
第１のＳＤカードコントローラ１９は、第１のＳＤカード３のコンテンツ情報等を読み出す。
【００２７】
映像信号出力端子２０は、再生するアナログ映像信号を表示装置４に伝送するコンポジット端子である。また、表示装置４にコンテンツをリスト表示させる場合には、読み込んだコンテンツ情報等を表示装置４へ出力する。
【００２８】
第１のＳＤカードコネクタ２１は第１のＳＤカード３を着脱可能な端子である。
【００２９】
バスＢは、各ハードウェアを接続する伝送路である。
【００３０】
尚、本実施の形態では情報再生機器１を以上のように構成するものとしたが、必ずしもこれに限られない。ＬＡＮコネクタ１４や、３Ｇ回線通信部１５を含まない構成としても良く、また表示装置４に出力するＨＤＭＩコネクタ１６及び映像信号出力端子２０は何れかを含む構成でも良い。また、ＳＤカードスロット８やＳＤカードコントローラ１９は、１つに限られず複数含まれる構成としても良い。本実施の形態は、Ｂｌｕｅｔｏｏｔｈモジュール７の機能により実現される。
【００３１】
図３は、実施形態にかかるペン型の入力デバイス２の構成を例示する構成図である。ペン型の入力デバイス２（Ｇｙｒｏ付Ｐｅｎ型デバイス）は、本体部（内部）１０に図３に示すような機能構成を有する。
【００３２】
本体部１０は、制御部２３、記憶部２４、入力部２６、出力部２８、検出部３０、通信部２２を有する。制御部２３は、例えばＣＰＵ１２０を含み、本体部１０を構成する各部を制御する。記憶部２４は、図示しないＲＯＭ（Read  Only  Memory）及びＲＡＭ（Random  Access  Memory）などを含み、制御部２３が実行するプログラムや制御部２３がプログラムを実行する場合に使用するデータなどを記憶する。また、本体部１０には、記憶部２４との間でプログラム及びデータを送受可能にされた記憶媒体１４０を設けてもよい。
【００３３】
入力部２６は、例えば圧電素子などであり、本体部１０に対する外部からのタップの入力を検出部３０と強調して受け入れる。また圧電素子は電源部品としてあってもよい。出力部２８としては、例えばＬＥＤなどの表示部１８０、信号音等を出力するスピーカ１８２、及び図示しないバイブレータなどを有して、本体部１０の状態及び本体部１０の処理動作（タップの入力の受付け等）の結果などを発光表示、音及び振動の少なくともいずれかで出力するようにしてもよい。
【００３４】
検出部３０は、例えばサンプリング周波数が１２８Ｈｚである３軸の加速度センサ（Ｇｙｒｏ）であり、加速度計測測定範囲が例えば±６Ｇ以上となっている。検出部３０は、例えばペン型の入力デバイス２が操作された場合に、鉛直方向、ある水平方向及びこの水平方向に対してほぼ直交する水平方向（左右方向）の加速度（３方向の加速度）を検出する。
【００３５】
通信部２２は、外部との通信を行うインターフェースであり、例えば有線通信、長距離無線通信及び近接無線通信のいずれによっても構成可能であるが、ここでは近接無線通信のＢｌｕｅｔｏｏｔｈにより接続可能に構成されているものとする。
【００３６】
このペン型の入力デバイス２は、操作されると、鉛直方向（Ｙ方向）、ある水平方向（Ｚ方向）及びこの水平方向に対してほぼ直交する水平方向（Ｘ方向）の加速度を検出する。加速度は積分されると速度に、また速度は積分されると変位となり、原理的にペン型の入力デバイス２が例えば元の位置に戻ってきたかなどを含め算出することができる。
【００３７】
また図４は、表示装置４の一実施形態にかかる映像記録装置１００（テレビ、ＴＶ）の例を示す。
【００３８】
映像記録装置１００は、チューナ１１１、復調部１１２、信号処理部１１３、音声処理部１２１、映像処理部１３１、表示処理部１３３、制御部１５０、記憶装置１６０、操作入力部１６１、受光部１６２、ＬＡＮインターフェース１７１、及びＨＤＭＩ端子１７３を備える。また、映像記録装置１００は、さらにスピーカ１２２及びディスプレイ１３４を備える。
【００３９】
チューナ１１１は、例えばアンテナ１０１により受信されたディジタル放送信号を受け取ることができる。アンテナ１０１は、例えば、地上ディジタル放送信号、ＢＳ（ｂｒｏａｄｃａｓｔｉｎｇ  ｓａｔｅｌｌｉｔｅ）ディジタル放送信号、及び／または、１１０度ＣＳ（ｃｏｍｍｕｎｉｃａｔｉｏｎ  ｓａｔｅｌｌｉｔｅ）ディジタル放送信号を受信することができる。
【００４０】
チューナ１１１は、ディジタル放送信号用のチューナである。チューナ１１１は、受け取ったディジタル放送信号のチューニング（選局）を行う。チューナ１１１は、チューニングしたディジタル放送信号を復調部１１２に送信する。
【００４１】
復調部１１２は、受信したディジタル放送信号を復調する。これにより、復調部１１２は、ディジタル放送信号からトランスポートストリーム（ＴＳ）などのコンテンツデータを取得する。復調部１１２は、取得したコンテンツデータを信号処理部１１３に入力する。即ち、アンテナ１０１、チューナ１１１、及び復調部１１２は、コンテンツデータを受信する受信手段として機能する。
【００４２】
信号処理部１１３は、コンテンツデータの分離などの信号処理を行う。即ち、信号処理部１１３は、コンテンツデータをディジタル映像信号、ディジタル音声信号、及びその他のデータ信号に分離する。信号処理部１１３は、音声処理部１２１に分離した音声信号を供給する。また、信号処理部１１３は、映像処理部１３１に分離した映像信号を供給する。さらに、信号処理部１１３は、制御部１５０に分離したデータ信号を供給する。
【００４３】
また、信号処理部１１３は、制御部１５０の制御に基づいて、上記のコンテンツデータを録画可能な状態のデータ（録画ストリーム）に変換することができる。信号処理部１１３は、制御部１５０の制御に基づいて、録画ストリームを記憶装置１６０または例えばＨＤＭＩ端子１７３に接続される他のモジュールに供給することができる。
【００４４】
また、信号処理部１１３は、コンテンツデータのビットレートをオリジナルのビットレートから他のビットレートに変換（トランスコード）することができる。即ち、信号処理部１１３は、放送信号などに基づいて取得したオリジナルのビットレートのストリームを、フレームレートを下げるなどによってより低いビットレートのストリームにトランスコードすることができる。これにより、信号処理部１１３は、より容量の少ない状態でコンテンツを録画させることができる。
【００４５】
音声処理部１２１は、信号処理部１１３から受信したディジタル音声信号を、スピーカ１２２により再生可能なフォーマットの信号（オーディオ信号）に変換する。例えば、音声処理部１２１は、ディジタル音声信号をディジタル／アナログ変換によりオーディオ信号に変換する。音声処理部１２１は、オーディオ信号をスピーカ１２２に供給する。スピーカ１２２は、供給されるオーディオ信号に基づいて音を再生する。
【００４６】
映像処理部１３１は、信号処理部１１３から受信したディジタル映像信号を、ディスプレイ１３４で再生可能なフォーマットの映像信号に変換する。即ち、映像処理部１３１は、信号処理部１１３から受信したディジタル映像信号を、ディスプレイ１３４で再生可能なフォーマットの映像信号にデコード（再生）する。映像処理部１３１は、デコード（再生）した映像信号を表示処理部１３３に供給する。
【００４７】
表示処理部１３３は、例えば、制御部１５０からの制御に基づいて、受信した映像信号に対して色味、明るさ、シャープネス、コントラスト、またはその他の画質調整処理を行う。表示処理部１３３は、画質調整を施した映像信号をディスプレイ１３４に供給する。ディスプレイ１３４は、供給される映像信号に基づいて映像を表示する。
【００４８】
ディスプレイ１３４は、例えば、マトリクス状に配列された複数の画素を備える液晶表示パネルと、この液晶パネルを照明するバックライトとを備える液晶表示装置などを備える。ディスプレイ１３４は、表示処理部１３３から供給される映像信号に基づいて映像を表示する。
【００４９】
なお、映像記録装置１００は、ディスプレイ１３４の代わりに、映像信号を供給する供給端子を備える構成であってもよい。また、映像記録装置１００は、スピーカ１２２の代わりに、オーディオ信号を供給する供給端子を備える構成であってもよい。また、映像記録装置１００は、ディジタル映像信号とディジタル音声信号とを供給する供給端子を備える構成であってもよい。
【００５０】
制御部１５０は、映像記録装置１００の各部の動作を制御する制御手段として機能する。制御部１５０は、ＣＰＵ１５１、ＲＯＭ１５２、ＲＡＭ１５３、及びＥＥＰＲＯＭ（Electrically Erasable and Programmable Read Only Memory）１５４などを備えている。制御部１５０は、操作入力部１６１から供給される操作信号に基づいて、種々の処理を行う。
【００５１】
ＣＰＵ１５１は、種々の演算処理を実行する演算素子などを備える。ＣＰＵ１５１は、ＲＯＭ１５２、またはＥＥＰＲＯＭ１５４などに記憶されているプログラムを実行することにより種々の機能を実現する。
【００５２】
ＲＯＭ１５２は、映像記録装置１００を制御する為のプログラム、及び各種の機能を実現する為のプログラムなどを記憶する。ＣＰＵ１５１は、操作入力部１６１から供給される操作信号に基づいて、ＲＯＭ１５２に記憶されているプログラムを起動する。これにより、制御部１５０は、各部の動作を制御する。
【００５３】
ＲＡＭ１５３は、ＣＰＵ１５１のワークメモリとして機能する。即ち、ＲＡＭ１５３は、ＣＰＵ１５１の演算結果、ＣＰＵ１５１により読み込まれたデータなどを記憶する。
【００５４】
ＥＥＰＲＯＭ１５４は、各種の設定情報、及びプログラムなどを記憶する不揮発性メモリである。
【００５５】
記憶装置１６０は、コンテンツを記憶する記憶媒体を有する。例えば、記憶装置１６０は、ハードディスクドライブ（ＨＤＤ）、ソリッドステイトドライブ（ＳＳＤ）、または半導体メモリなどにより構成される。記憶装置１６０は、信号処理部１１３から供給された録画ストリームを記憶することができる。
【００５６】
操作入力部１６１は、例えば、ユーザーによる操作入力に応じて操作信号を生成する操作キー、またはタッチパッドなどを備える。また、操作入力部１６１は、キーボード、マウス、または操作信号を生成する事ができる他の入力装置などから操作信号を受け取る構成であってもよい。操作入力部１６１は、操作信号を制御部１５０に供給する。
【００５７】
なお、タッチパッドは、静電容量式センサ、サーモセンサ、または他の方式に基づいて位置情報を生成するデバイスを含む。また、映像記録装置１００がディスプレイ１３４を備える場合、操作入力部１６１は、ディスプレイ１３４と一体に形成されるタッチパネルなどを備える構成であってもよい。
【００５８】
受光部１６２は、例えば、リモートコントローラ１６３からの操作信号を受信するセンサなどを備える。受光部１６２は、受信した信号を制御部１５０に供給する。制御部１５０は、受光部１６２から供給された信号を受信し、受信した信号を増幅させてＡ／Ｄ変換を行うことにより、リモコン１６３から送信された元の操作信号を復号する。
【００５９】
リモートコントローラ１６３は、ユーザーの操作入力に基づいて操作信号を生成する。リモートコントローラ１６３は、生成した操作信号を赤外線通信により受光部１６２に送信する。なお、受光部１６２及びリモートコントローラ１６３は、電波などの他の無線通信により操作信号の送受信を行う構成であってもよい。
【００６０】
ＬＡＮインターフェース１７１は、ＬＡＮ経由でインターネット、イントラネット、またはホームネットワークなどのネットワーク上の他の機器と通信を行なう為のインターフェースである。例えば、映像記録装置１００は、ＬＡＮインターフェース１７１によりネットワーク上の機器に記録されているコンテンツを受信し、再生することができる。また、映像記録装置１００は、コンテンツデータをＬＡＮインターフェース１７１により接続される機器に供給することが出来る。
【００６１】
また、ＬＡＮインターフェース１７１は、無線ＬＡＮ経由でアクセスポイントとの通信を行なうインターフェースであってもよい。例えば、ＬＡＮインターフェース１７１は、ＩＥＥＥ８０２．１１ｂ／ｇ／ｎなどにより通信を行なう機能を備える。
【００６２】
上記したように、アクセスポイントとＬＡＮインターフェース１７１とが無線ＬＡＮにより接続された場合、映像記録装置１００は、アクセスポイントに接続されている他の機器と通信することができる。また、ＬＡＮインターフェース１７１は、アクセスポイントを介さずに他の機器と直接無線ＬＡＮにより通信する構成であってもよい。
【００６３】
ＨＤＭＩ端子１７３は、ＨＤＭＩ（High Definition Multimedia Interface）（登録商標）などの規格に基づいた通信を行なう為のインターフェースである。ＨＤＭＩ端子１７３には、ブルーレイ（登録商標）レコーダ、ＤＶＤレコーダ、ハードディスクレコーダ、または他の機器とＨＤＭＩに対応した機器が接続される。ＨＤＭＩ端子１７３は、接続された機器から供給されたコンテンツデータを受信することができる。
【００６４】
制御部１５０は、ＨＤＭＩ端子１７３により受信したコンテンツデータを信号処理部１１３に入力させる。信号処理部１１３は、受信したコンテンツデータからディジタル映像信号、及びディジタル音声信号などを分離する。信号処理部１１３は、分離したディジタル映像信号を映像処理部１３１に送信し、分離したディジタル音声信号を音声処理部１２１に送信する。
【００６５】
また、映像記録装置１００は、図示しない電源部を備える。電源部は、ＡＣアダプタなどを介して商用電源などから電力を受け取る。電源部は、受け取った交流の電力を直流に変換し、映像記録装置１００（以下テレビ）内の各部へ供給する。
【００６６】
さて映像記録装置１００に接続された情報再生機器１により、ディジタル広告（チラシ等印刷物に対応する内容）を映像記録装置１００に表示することができる。利用者（ユーザー）は、この情報再生機器１と通信を行うリモコン５を操作して映像記録装置１００を見ながら希望の商品（またはサービス、以下同様）を選択する。商品が縦横に整列していれば、リモコン５の例えば矢印キー操作の繰り返しで比較的容易に商品を選択することはできる。利用者が選択した商品の情報は、情報再生機器１から例えば３G回線を通して商品提供元へ送られ、利用者の元に商品が届く仕組みとなっている。
【００６７】
ところでこのリモコン５以外に、ペン型の入力デバイス２が商品の選択等に用いられる。ユーザーは、このペン型の入力デバイス２を用いて、チラシ等の紙面上の商品をタップすることで、商品が選択され、映像記録装置１００の画面上にタップされた商品が表示される。
【００６８】
紙面上のスタート位置は、決められており、ユーザーはまずスタート位置をペン型入力デバイスでタップする。これにより、紙面上の位置と情報再生機器１内保存データの位置がリンクされる。普通の紙の広告を利用するために、紙の右（上）端部分をタップすることで、スタート地点と認識させる。しかしながらタップ場所を明確にするため、広告にも追加要素として●（図５のＭ参照）などの印を記載してもよい。
【００６９】
このスタート位置からの移動距離、方向は検出部３０で検出される。検出精度を上げるために、商品供給元から予めダウンロードされている情報再生機器１内の商品データはエリアで分割されており、このエリア内であれば、どの部分を押してもエリアで関連付けされている商品が検出される。
【００７０】
図５は、実施形態に用いられる印刷物（図５（ａ））とこれに対応する情報再生機器１内レイアウト反映データ（図５（ｂ））を示す概略説明図である。紙の広告と情報再生機器１内のデータはリンクさせ、情報再生機器１内の広告掲載商品は、エリアで管理される。このエリアとは、広告内の商品をＡ−１部分, Ａ−２部分などと区分けしたものである。例えば図５（ｂ）では商品Ｃ１はＡ−１部分に属し、Ａ−１からＡ−４の各部分は破線のようにＸＺ面における線形判別関数で区分されている。
【００７１】
なおユーザーが壁に貼られた広告に対してタップ操作を行うなど広告が水平でない場合を含め、ペン型の入力デバイス２はその姿勢から広告のＸＹＺ座標を推定しスタート地点からの距離に反映させるとよい。またこの距離に誤差があり映像記録装置１００に表示されているペン型の入力デバイス２の位置がずれている場合には、ユーザーがずれ方向にペン型の入力デバイス２を一時的に傾ければ補正できるように構成してもよい。
【００７２】
ユーザーにタップされた段階では、情報再生機器１には自動的に数量は1と入力される。ユーザーが数量を増やしたい場合は、ペン型の入力デバイス２を逆に持ちタップすることにより実現されるように構成してもよい。ユーザーが数量を減らしたい場合は、ペン型の入力デバイス２を逆に持ちつつ、左右に振ることにより実現されるように構成してもよい。
【００７３】
図６は、実施形態要部の処理のフローチャートである。
【００７４】
ステップＳ７１：  ユーザーに所望の商品（の座標）をタップ入力されペン型の入力デバイス２はこの座標を通信部２２経由で情報再生機器１に送信し、情報再生機器１はＢｌｕｅｔｏｏｔｈモジュール７で受信されたこの座標からＣＰＵ１３でＲＡＭ１１等に予め記憶されている上記レイアウト反映データの対応するエリア、商品を特定し注文数量を１にセット（ＲＡＭ１１に記憶）する。
【００７５】
ステップＳ７２：  ユーザーによる入力修正がある場合は次に進み、そうでない場合はステップＳ７４へ進む。
【００７６】
ステップＳ７３：  ステップＳ７６〜ステップＳ７８までの入力修正サブルーチンを実行しステップＳ７２へ戻る。
【００７７】
ステップＳ７４：  タップ入力が終わると、ＨＤＭＩなど経由で注文情報が情報再生機器１から映像記録装置１００へ出力される。この注文情報は例えばユーザーに対してはリストなどの形式でディスプレイ１３４に表示される。印刷物に「入力終了」などと印刷したエリアを設けて商品のタップ入力の終了をユーザーにタップ入力させるなどしてもよい。また２回同一エリアをタップすると入力終了となるように構成してもよい。
【００７８】
ステップＳ７５：  ユーザーが注文情報を確認して注文情報を（３Ｇ回線通信部１５から）送信する。印刷物に「送信」などと印刷したエリアを設けて商品の注文情報の送信をユーザーに指示させるなどしてもよい。また更に２回同一エリアをタップすると送信となるように構成してもよい。紙の広告から選択した商品がＴＶ画面上に表示されるとともに、商品供給元へデータが送られ、一連の処理が終了する。
【００７９】
ステップＳ７６：  入力修正が数量増加である場合はステップＳ７７へ進み、そうでない場合（減少）はステップＳ７８へ進む。
【００８０】
ステップＳ７７：  ＣＰＵ１３は対応するエリア、商品を特定し注文数量を１増加（ＲＡＭ１１内容をインクリメント）する。
【００８１】
ステップＳ７８：  ＣＰＵ１３は対応するエリア、商品を特定し注文数量を１減少（ＲＡＭ１１内容をデクリメント）する。
【００８２】
以上課題を解決するにあたって本実施形態では、専用リモコン等の代わりにＧｙｒｏ付Ｐｅｎ型デバイスを用意し普通の紙の広告を用いて商品選択を行う工夫をした。これによりユーザは直感的に対象物の選択を行うことができる。
【００８３】
なお、この発明は上記実施形態に限定されるものではなく、この外その要旨を逸脱しない範囲で種々変形して実施することができる。
【００８４】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００８５】
１…情報再生機器、２…ペン型の入力デバイス、３…第１のＳＤカード、４…表示装置、５…リモコン、７…Ｂｌｕｅｔｏｏｔｈモジュール、８…第１のＳＤカードスロット、９…赤外線受信部、１１…ＲＡＭ、１２…ＲＯＭ、１３…ＣＰＵ、１４…ＬＡＮコネクタ、１５…３Ｇ回線通信部、１６…ＨＤＭＩコネクタ、１７…電源入力コネクタ、１８…電源コントローラ、１９…第１のＳＤカードコントローラ、２０…映像信号出力端子、２１…第１のＳＤカードコネクタ。
【図１】
2016038818.tif 000003
【図２】
2016038818.tif 000004
【図３】
2016038818.tif 000005
【図４】
2016038818.tif 000006
【図５】
2016038818.tif 000007
【図６】
2016038818.tif 000008